(57)【要約】【課題】リセット期間のセットダウン期間とアドレス期間に印加される駆動パルスを改善したプラズマディスプレイパネル、プラズマディスプレイ装置、プラズマディスプレイパネルの駆動装置及びプラズマディスプレイ装置の駆動方法を提供する。【解決手段】 本発明に係るプラズマディスプレイ装置は、リセット期間、アドレス期間及び維持期間にアドレス電極、走査電極及び維持電極に駆動パルスが印加される少なくとも１以上のサブフィールドの組み合わせによりフレームよりなる画像を表現するプラズマディスプレイパネルと、走査電極を駆動するための走査駆動部と、走査駆動部を制御し、フレームの１サブフィールドのリセット期間中に走査電極に印加されるセットダウンパルスの最低電圧と、前記アドレス期間中に前記走査電極に印加される走査パルスの電圧との差分を、他のサブフィールドとは異ならせる走査パルス制御部と、を含む。【選択図】図6
2006235598.tif 000002
【特許請求の範囲】
【請求項１】
プラズマディスプレイ装置において、
リセット期間、アドレス期間及び維持期間にアドレス電極、走査電極及び維持電極に駆動パルスが印加される少なくとも１以上のサブフィールドの組み合わせによりフレームよりなる画像を表現するプラズマディスプレイパネルと、
前記走査電極を駆動するための走査駆動部と、
前記走査駆動部を制御し、前記フレームのサブフィールドのうち１サブフィールドにおける前記リセット期間中に前記走査電極に印加されるセットダウンパルスの電圧と前記アドレス期間中に前記走査電極に印加される走査パルスの電圧との差分が、残りのサブフィールドのそれぞれに対するセットダウンパルスの電圧と走査パルスの電圧との差分と異なるように制御する走査パルス制御部と、
を備えることを特徴とするプラズマディスプレイ装置。
【請求項２】
前記走査パルスの電圧は、一定していることを特徴とする請求項１記載のプラズマディスプレイ装置。
【請求項３】
前記セットダウンパルスの電圧は、前記セットダウンパルスの最低電圧であることを特徴とする請求項１記載のプラズマディスプレイ装置。
【請求項４】
前記セットダウンパルスの電圧と前記走査パルスの電圧との差分は、サブフィールドの階調によって制御されることを特徴とする、請求項１記載のプラズマディスプレイ装置。
【請求項５】
３つの低階調サブフィールドのうちあるサブフィールドにおける前記セットダウンパルスの電圧と前記走査パルスの電圧との差分は、残りのサブフィールドにおける前記セットダウンパルスの電圧と前記走査パルスの電圧との差分よりも大であることを特徴とする、請求項１記載のプラズマディスプレイ装置。
【請求項６】
前記セットダウンパルスの電圧と前記走査パルスの電圧との差分は、１サブフィールドにおける維持パルスの数によって制御されることを特徴とする、請求項４または５記載のプラズマディスプレイ装置。
【請求項７】
前記サブフィールドにおける前記維持パルスの数は、１フレームに用いられる維持パルスの総数の５０％以下となることを特徴とする、請求項６記載のプラズマディスプレイ装置。
【請求項８】
前記サブフィールドにおける前記維持パルスの数は、１フレームに用いられる維持パルスの総数の３０％以下となることを特徴とする、請求項７記載のプラズマディスプレイ装置。
【請求項９】
前記フレームのサブフィールドを２つのサブフィールド群に分け、前記走査パルス制御部は、前記２つのサブフィールド群のうち少なくとも一方のサブフィールド群のサブフィールドにおけるセットダウンパルスの電圧と走査パルスの電圧との差分が、他方のサブフィールド群の残りのサブフィールドのそれぞれに対するセットダウンパルスの電圧と走査パルスの電圧との差分よりも大きくなるように制御することを特徴とする、請求項１記載のプラズマディスプレイ装置。
【請求項１０】
前記２つのサブフィールド群のそれぞれは、３つの低階調サブフィールドを備えることを特徴とする、請求項９記載のプラズマディスプレイ装置。
【請求項１１】
前記２つのサブフィールド群のうちセットダウンパルスの電圧と走査パルスの電圧との差分が大きい方のサブフィールド群においては、前記走査パルス制御部は、前記サブフィールドのうち１サブフィールドにおけるセットダウンパルスの電圧と走査パルスの電圧との差分が、残りのサブフィールドにおけるセットダウンパルスの電圧と走査パルスの電圧との差分とは異なるように制御することを特徴とする、請求項９記載のプラズマディスプレイ装置。
【請求項１２】
前記２つのサブフィールド群のうちセットダウンパルスの電圧と走査パルスの電圧との差分が大きい方のサブフィールド群においては、前記走査パルス制御部は、セットダウンパルスの電圧と走査パルスの電圧との差分がサブフィールドごとに異なるように制御することを特徴とする、請求項９記載のプラズマディスプレイ装置。
【請求項１３】
セットダウンパルスの電圧と走査パルスの電圧との差分がサブフィールドごとに異なるサブフィールド群においては、前記走査パルス制御部は、加重値が下がるに伴いセットダウンパルスの電圧と走査パルスの電圧との差分が大きくなるように制御することを特徴とする、請求項１２記載のプラズマディスプレイ装置。
【請求項１４】
予め設定された数のサブフィールドは維持パルスが許容されるサブフィールドを含み、前記サブフィールドにおいて許容された前記維持パルスの数は、臨界数未満であることを特徴とする、請求項９記載のプラズマディスプレイ装置。
【請求項１５】
前記臨界数は、１フレームに用いられる維持パルスの総数の５０％以下となることを特徴とする、請求項１４記載のプラズマディスプレイ装置。
【請求項１６】
前記臨界数は、１フレームに用いられる維持パルスの総数の３０％以下となることを特徴とする、請求項１５記載のプラズマディスプレイ装置。
【請求項１７】
前記フレームは、選択的な書き込みサブフィールドと選択的な消去サブフィールドを含むが、前記走査パルス制御部は、前記フレームのサブフィールドのうち前記選択的な消去サブフィールドにおけるセットダウンパルスの電圧と走査パルスの電圧との差分が、前記選択的な書き込みサブフィールドにおけるセットダウンパルスの電圧と走査パルスの電圧との差分よりも大きくなるように制御することを特徴とする、請求項１記載のプラズマディスプレイ装置。
【請求項１８】
前記フレームは複数の選択的な消去サブフィールドを含み、前記走査パルス制御部は、前記複数の選択的な消去サブフィールドにおいては、前記アドレス期間中に前記走査電極に印加されるセットダウンパルスの電圧と走査パルスの電圧との差分が同じくなるように制御することを特徴とする、請求項１７記載のプラズマディスプレイ装置。
【請求項１９】
前記フレームは複数の選択的な消去サブフィールドを含み、前記走査パルス制御部は、前記複数の選択的な消去サブフィールドのうち１サブフィールドにおけるセットダウンパルスの電圧と走査パルスの電圧との差分が、残りの選択的な消去サブフィールドにおけるセットダウンパルスの電圧と走査パルスの電圧との差分とは異なるように制御することを特徴とする、請求項１７記載のプラズマディスプレイ装置。
【請求項２０】
前記フレームは複数の選択的な消去サブフィールドを含み、前記走査パルス制御部は、前記複数の選択的な消去サブフィールドにおいては、セットダウンパルスの電圧と走査パルスの電圧との差分がサブフィールドごとに異なるように制御することを特徴とする、請求項１７記載のプラズマディスプレイ装置。
【請求項２１】
前記走査パルス制御部は、前記複数の選択的な消去サブフィールドにおいては、加重値を基準に加重値が下がるに伴いセットダウンパルスの電圧と走査パルスの電圧との差分が大きくなるように制御することを特徴とする、請求項２０記載のプラズマディスプレイ装置。
【請求項２２】
プラズマディスプレイ装置において、
リセット期間、アドレス期間及び維持期間にアドレス電極、走査電極及び維持電極に駆動パルスが印加される少なくとも１以上のサブフィールドの組み合わせによりフレームよりなる画像を表現するプラズマディスプレイパネルと、
前記走査電極を駆動するための走査駆動部と、
前記走査駆動部を制御し、前記フレームのサブフィールドのうち１サブフィールドにおける前記リセット期間中に前記走査電極に印加されるセットダウンパルスの電圧が、残りのサブフィールドのそれぞれに対する走査パルスの電圧とは異なるように制御する走査パルス制御部と、を備えることを特徴とするプラズマディスプレイ装置。
【請求項２３】
リセット期間、アドレス期間及び維持期間にアドレス電極、走査電極及び維持電極に駆動パルスが印加される少なくとも１以上のサブフィールドの組み合わせによりフレームよりなる画像を表現するプラズマディスプレイパネルを駆動するための駆動装置において、
前記駆動装置は、
前記走査電極を駆動するための走査駆動部と、
前記走査駆動部を制御して、前記フレームのサブフィールドのうち１サブフィールドにおけるセットダウンパルスの電圧と走査パルスの電圧との差分が、残りのサブフィールドのセットダウンパルスの電圧と走査パルスの電圧との差分とは異なるように設定する走査パルス制御部と、
を備えることを特徴とするプラズマディスプレイパネルの駆動装置。
【請求項２４】
リセット期間、アドレス期間及び維持期間にアドレス電極、走査電極及び維持電極に駆動パルスが印加される少なくとも１以上のサブフィールドの組み合わせによりフレームよりなる画像を表現するプラズマディスプレイパネルにおいて、
前記フレームのサブフィールドのうち１サブフィールドにおけるセットダウンパルスの電圧と走査パルスの電圧との差分が、残りのサブフィールドのセットダウンパルスの電圧と走査パルスの電圧との差分とは異なるように設定されることを特徴とする、プラズマディスプレイパネル。
【請求項２５】
少なくとも１以上のサブフィールドの組み合わせによりフレームよりなる画像を表現するプラズマディスプレイ装置の駆動方法において、
前記フレームのサブフィールドのうち１サブフィールドにおけるリセット期間中に走査電極に印加されるセットダウンパルスの電圧とアドレス期間中に前記走査電極に印加される走査パルスの電圧との差分が、残りのサブフィールドのそれぞれに対するセットダウンパルスの電圧と走査パルスの電圧との差分とは異なるように設定する段階を含むことを特徴とする、プラズマディスプレイ装置の駆動方法。
【請求項２６】
少なくとも１以上のサブフィールドの組み合わせによりフレームよりなる画像を表現するプラズマディスプレイ装置の駆動方法において、
前記フレームのサブフィールドのうち１サブフィールドにおける走査電極に印加される走査パルスの電圧を、残りのサブフィールドのそれぞれに対するセットダウンパルスの電圧と走査パルスの電圧とは異なるように設定する段階を含むことを特徴とする、プラズマディスプレイ装置の駆動方法。
【発明の詳細な説明】
【技術分野】
【０００１】
本発明は、プラズマディスプレイ装置に係り、より詳細には、アドレス放電及び維持放電を安定化させることができるプラズマディスプレイパネル、プラズマディスプレイ装置、プラズマディスプレイパネルの駆動装置及びその装置の駆動方法に関する。
【背景技術】
【０００２】
一般に、プラズマディスプレイパネルは、前面基板と背面基板との間に形成された隔壁が１つの単位セルを成すものであり、各セル内にはネオン（Ｎｅ）、ヘリウム（Ｈｅ）またはネオン及びヘリウムの混合気体（Ｎｅ＋Ｈｅ）などの主放電気体と少量のキセノンを含む不活性ガスが充填されている。高周波電圧により放電が発生すると、不活性ガスは真空紫外線(Vacuum Ultraviolet rays)を発生させ、隔壁間に形成された蛍光体を発光させて画像を表現する。このようなプラズマディスプレイパネルは、薄くて軽い構成を採用できるので、次世代表示装置として脚光を浴びている。
【０００３】
図１は、一般的なプラズマディスプレイパネルの構造を示す図である。
【０００４】
図１に示すように、プラズマディスプレイパネルは、画像が表示される表示面としての前面ガラス１０１に走査電極１０２と維持電極１０３が対をなして形成された複数の維持電極対が配列された前面パネル１００と、背面を形成する背面ガラス１１１上に前記複数の維持電極対と交差する複数のアドレス電極１１３が配列された背面パネル１１０とが、所定の間隔を開けて平行に配置されている。
【０００５】
前面パネル１００は、１つの放電セルで相互放電を起こし且つセルの発光を維持するための走査電極１０２及び維持電極１０３、すなわち透明なインジウムスズ酸化物（Indium-Tin-Oxide:ＩＴＯ）よりなる透明電極ａと金属材質よりなるバス電極ｂによって構成される走査電極１０２及び維持電極１０３の対を備える。走査電極１０２及び維持電極１０３は、放電電流を制限し、電極対間を絶縁させる１以上の上部誘電体層１０４によって覆わられる。さらに、上部誘電体層１０４上には放電条件を容易に実現するために酸化マグネシウム（ＭｇＯ）を蒸着した保護層１０５が形成される。
【０００６】
背面パネル１１０は、複数の放電空間、すなわち放電セルを形成するためのストライプタイプ（またはウェル状）の隔壁１１２が平行に配される。さらに、アドレス放電を行い真空紫外線を発生させる多数のアドレス電極１１３が隔壁１１２に対して平行に配置される。背面パネル１１０の上面にはアドレス放電時に画像を表示するための可視光を放出するＲ，Ｇ，Ｂ蛍光体１１４が塗布される。アドレス電極１１３と蛍光体１１４との間にはアドレス電極１１３を保護するための下部誘電体層１１５が形成される。
【０００７】
このようなプラズマディスプレイパネルにおける画像の階調を具現する方法は、次の図２のようになる。
【０００８】
図２は、従来のプラズマディスプレイパネルの画像階調を具現する方法を示す図である。
【０００９】
図２に示すように、従来のプラズマディスプレイパネルの画像階調(Gray Level)の表現方法では、１フレームを発光回数の異なる多くのサブフィールドに分け、さらに各サブフィールドを全セルを初期化するためのリセット期間ＲＰＤ、放電するセルを選択するためのアドレス期間ＡＰＤ、及び放電回数によって階調を具現する維持期間ＳＰＤに分ける。例えば、２５６階調で画像を表示しようとする場合、１／６０秒にあたるフレーム期間１６．６７ｍｓは８つのサブフィールドＳＦ１〜ＳＦ８に分けられ、さらに８つのサブフィールドＳＦ１〜ＳＦ８のそれぞれはリセット期間、アドレス期間及び維持期間に分けられる。
【００１０】
各サブフィールドのリセット期間及びアドレス期間は、各サブフィールドごとに同一である。放電するセルを選択するためのアドレス放電は、アドレス電極と走査電極である透明電極との電圧差によって起こる。維持期間は、各サブフィールドにおいて２ｎ（ただし、ｎ＝０，１，２，３，４，５，６，７）の割合で増加する。このように各サブフィールドにおいて維持期間が変わるので、各サブフィールドの維持期間、すなわち維持放電回数を調節することで画像の階調を表現するようになる。
【００１１】
このようなプラズマディスプレイパネルの画像階調の具現方法は、アドレス放電によって選択される放電セルの発光有無によって選択的な書き込み(Selective writiｎg)方式と選択的な消去(Selective erasing)方式とに大別される。
【００１２】
選択的な書き込み方式では、リセット期間に全画面を点灯させた後、アドレス期間に選択された放電セルを点灯させる。また、維持期間には、アドレス放電によって選択された放電セルの放電を維持させることで画像を表示する。
【００１３】
このような選択的な書き込み方式では、走査パルス(Scan pulse)の幅を比較的長く設定して放電セル内に十分な壁電荷を形成することができる。しかし、走査パルスの幅を長く設定すると、アドレス期間が長く設定され、輝度に寄与する維持期間が相対的に短くなるという問題点がある。
【００１４】
選択的な消去方式では、リセット期間に全画面を書き込み放電させて全画面を点灯させた後、アドレス期間に選択された放電セルを消灯させる。次いで、維持期間には、アドレス放電によって選択されない放電セルのみを維持放電させることで画像を表示する。
【００１５】
このような選択的な消去方式では、走査パルスの幅を比較的短く設定して放電セル内で消去放電を起こすようにする。すなわち、選択的な消去方式では、短い幅を有する走査パルスを印加することでアドレス期間を短く設定することができ、これにより輝度に寄与する維持期間に比較的多くの時間を割り当てることができる。しかし、選択的な消去方式では、非表示期間であるリセット期間に全画面が点灯することから、コントラストが低いという欠点がある。
【００１６】
このような選択的な書き込み及び消去方式の欠点を乗り越えるために選択的な書き込み及び選択的な消去方式を組み合わせた方法が提案された。
【００１７】
図３は、１フレームに選択的な書き込み及び選択的な消去方式のサブフィールドが含まれている従来の他の実施例に係るプラズマディスプレイパネルの１フレームを示す図である。
【００１８】
図３に示すように、１フレームは少なくとも１以上のサブフィールドを含む選択的な書き込みサブフィールドＷＳＦと、少なくとも１以上のサブフィールドを含む選択的な消去サブフィールドＥＳＦと、を含む。
【００１９】
選択的な書き込みサブフィールドＷＳＦは、ｍ（ただし、ｍは０より大きい正の整数）個のサブフィールドＳＦ１〜ＳＦｍを含む。ｍ番目のサブフィールドＳＦｍを除いた第１〜第ｍ−１のサブフィールドＳＦ１〜ＳＦｍ−１のそれぞれは、全画面のセルに所定量の壁電荷を一様に形成するためのリセット期間と、書き込み放電を用いてオンセル(on-cells)を選択する選択的な書き込みアドレス期間（以下、「書き込みアドレス期間」という）と、選択されたオンセルに対して維持放電を起こす維持期間と、維持放電後にセル内の壁電荷を消去するための消去期間と、に分けられる。
【００２０】
選択的な書き込みサブフィールドＷＳＦの最後のサブフィールドである第ｍのサブフィールドＳＦｍは、リセット期間、書き込みアドレス期間及び維持期間に分けられる。選択的な書き込みサブフィールドＷＳＦの各サブフィールドＳＦ１〜ＳＦｍにおいて、リセット期間、書き込みアドレス期間及び消去期間は同一である一方、維持期間は予め設定された輝度加重値の大小に応じて同じか異なるように設定される。
【００２１】
選択的な消去サブフィールドＥＳＦはｎ−ｍ（ただし、ｎはｍより大きい正の整数）個のサブフィールドＳＦｍ+１〜ＳＦｎを含む。第ｍ＋１〜第ｎのサブフィールドＳＦｍ+１〜ＳＦｎのそれぞれは、消去放電を用いてオフセル(off-cell)を選択するための選択的な消去アドレス期間（以下、「消去アドレス期間」という）と、オンセルに対して維持放電を起こすための維持期間と、に分けられる。選択的な消去サブフィールドＥＳＦのサブフィールドＳＦｍ+１〜ＳＦｎにおいて、消去アドレス期間は同一に設定される一方、維持期間は輝度相対比に応じて同じか異なるように設定される。
【００２２】
このような図３に示す駆動方法によれば、ｍ個のサブフィールドを選択的な書き込み方式で駆動し、ｎ−ｍ個のサブフィールドを選択的な消去方式で駆動することにより、アドレス期間を短く設定すると共にコントラストを向上させることができる。言い換えれば、１フレームが短い走査パルスを有する選択的な消去サブフィールドを含むことにより、十分な維持期間を確保することができる。また、１フレームがリセット期間を含まない選択的な消去サブフィールドを含むことにより、コントラストを向上させることができる。
【００２３】
このようなプラズマディスプレイパネルの駆動方法による駆動波形を選択的な書き込み方式を例にして説明すると、次の図４のようになる。
【００２４】
図４は、従来のプラズマディスプレイパネルの駆動方法による駆動波形の一例を示す図である。
【００２５】
図４に示すように、プラズマディスプレイパネルはすべてのセルを初期化するためのリセット期間、放電するセルを選択するためのアドレス期間、選択されたセルの放電を維持するための維持期間、及び放電したセル内の壁電荷を消去するための消去期間に分けられて駆動される。
【００２６】
リセット期間において、セットアップ期間には、すべての走査電極に立上りランプ波形Ｒａｍｐ−ｕｐが同時に印加される。この立上りランプ波形によって全画面の放電セル内では微弱な暗放電(Drak Discharge)が起こる。このセットアップ放電によってアドレス電極と維持電極上には正の壁電荷が蓄積され、走査電極上には負の壁電荷が蓄積される。
【００２７】
セットダウン期間では、立上りランプ波形が供給された後、立上りランプ波形のピーク電圧よりも低い正の電圧から下がりはじめグランドＧＮＤレベル電圧以下の特定電圧レベルまで下がる立下りランプ波形Ｒａｍｐ−ｄｏｗｎが、セル内で微弱な消去放電を起こすことにより、走査電極に形成された余剰壁電荷を充分に消去させる。このセットダウン放電により、安定したアドレス放電を生じるに足る壁電荷がセル内に均一に残留する。
【００２８】
アドレス期間では、負の走査パルスが走査電極に順次に印加されると共に、走査パルスに同期してアドレス電極に正のデータパルスが印加される。この走査パルスとデータパルスの電圧差とリセット期間に生成された壁電圧とが加えられることにより、データパルスが印加される放電セル内ではアドレス放電が発生する。アドレス放電によって選択されたセル内には、維持電圧Ｖｓの印加時に放電が発生するに足る壁電荷が形成される。維持電極には、セットダウン期間とアドレス期間中に、走査電極との電圧差を減らして走査電極との間で生じる誤放電を抑えるために、正の電圧Ｖｚが供給される。
【００２９】
維持期間では、走査電極と維持電極に維持パルスｓｕｓが交互に印加される。アドレス放電によって選択されたセルでは、セル内の壁電圧と維持パルスが加えられることにより、各維持パルスが加えられる度に走査電極と維持電極との間で維持放電、すなわち表示放電が起こる。
【００３０】
維持放電が完了後、消去期間では、短パルス幅と小電圧レベルを有する消去ランプ波形Ｒａｍｐ−ｅｒｓの電圧が維持電極に供給され、全画面のセル内に残留している壁電荷を消去する。
【００３１】
このような駆動波形により駆動されるプラズマディスプレイパネルは、全フレームのサブフィールドにおけるリセット期間中に走査電極に印加されるセットダウンパルスＲａｍｐ−ｄｏｗｎの最低電圧と、アドレス期間中に走査電極に印加される走査パルスＶｓcの電圧との差分は、いずれも同一である。このような従来セットダウンパルスの最低電圧と走査パルスの電圧との差分を説明すると、次の図５のようになる。
【００３２】
図５は、従来のプラズマディスプレイパネルの駆動方法において、リセット期間中に印加されるセットダウンパルスの最低電圧と、アドレス期間中に印加される走査パルスの電圧との差分を説明するための図である。
【００３３】
図５に示すように、従来のプラズマディスプレイパネルの駆動方法によれば、リセット期間中に印加されるセットダウンパルスの最低電圧と、アドレス期間中に印加される走査パルスの電圧との差分は、全サブフィールドにおいて同一に設定される。換言すると、相対的に加重値が低くて低階調(Low Gray Level)を具現するサブフィールドと、相対的に加重値が高くて高階調(High Gray Level)を具現するサブフィールドとにおいて、セットダウンパルスの最低電圧と走査パルスの電圧との差分は、いずれも同一である。
【００３４】
ここで、前記セットダウンパルスの最低電圧と走査パルスの電圧との差は、放電セル内における壁電荷の生成に影響を及ぼす主要な要因の一つである。つまり、セットダウンパルスの先端から走査基準電圧に逆に下がる走査パルスＶｓcの電圧と、セットダウンパルスの先端の電圧、すなわちセットダウンパルスの最低電圧との差分が増加するほど、放電セル内で生成される壁電荷の量も増加する。
【００３５】
しかし、従来では、加重値の大小に関係なく全サブフィールドにおいてセットダウンパルスの最低電圧と走査パルスの電圧との差分をいずれも同一に設定することから、初期サブフィールド、すなわち加重値が相対的に低いサブフィールドにおけるアドレス放電が不安定になる可能性が大である。このため、アドレスジッタ(Jitter)が悪化するという不具合がある。
【００３６】
また、前述の如き相対的に加重値が低くて低階調を具現するサブフィールドでは、高階調を具現するサブフィールドに比べて、アドレス放電が不安定になり、維持パルスの数が少ない。それゆえ、アドレス放電が不安定であるため、放電セル内に蓄積される壁電荷の量が維持放電を生じるに足りないので、維持放電が不安定になる可能性がある。よって、このような維持放電の特性を考慮に入れ、アドレス期間で安定したアドレス放電を発生させることで、放電セル内における壁電荷の分布を維持放電に有利になるように設定しなければならない。しかし、従来では、加重値の大小に関係なく全サブフィールドにおけるセットダウンパルスの最低電圧と走査パルスの電圧との差分をいすれも同一に設定することから、アドレス放電が不安定になる可能性が大の初期サブフィールド、すなわち加重値が相対的に低いサブフィールドでは、アドレス放電後、放電セル内における壁電荷の分布が不足している。このため、その後に生じる維持放電が不安定になるか、もしくは維持放電が発生しないという問題点がある。
【００３７】
また、図３に示すように選択的な書き込みサブフィールドと選択的な消去サブフィールドを併用する駆動方法では、リセットパルス長が短くてリセット期間中に相対的に少量の壁電荷を生成する選択的な消去サブフィールドと、相対的にリセットパルス長が長い選択的な書き込みサブフィールドとにおいて、セットダウンパルスの最低電圧と走査パルスの電圧との差分は、いずれも同一である。ゆえに、前述の如くリセットパルス長が短くてリセット期間中に相対的に少量の壁電荷が生成される選択的な消去サブフィールドでは、選択的な書き込みサブフィールドに比べてアドレス放電が不安定になる可能性が大である。このため、選択的な消去サブフィールドでは、選択的な書き込みサブフィールドに比べてアドレスジッタが悪化するか、維持放電が不安定になる問題点がある。
【発明の開示】
【発明が解決しようとする課題】
【００３８】
本発明は、上記事情に鑑みなされたもので、その目的は、リセット期間のセットダウン期間とアドレス期間に印加される駆動パルスを改善したプラズマディスプレイパネル、プラズマディスプレイ装置、プラズマディスプレイパネルの駆動装置及びプラズマディスプレイ装置の駆動方法を提供することにある。
【課題を解決するための手段】
【００３９】
本発明に係るプラズマディスプレイ装置は、リセット期間、アドレス期間及び維持期間にアドレス電極、走査電極及び維持電極に駆動パルスが印加される少なくとも１以上のサブフィールドの組み合わせによりフレームよりなる画像を表現するプラズマディスプレイパネルと、走査電極を駆動するための走査駆動部と、走査駆動部を制御し、フレームの１サブフィールドのリセット期間中に走査電極に印加されるセットダウンパルスの最低電圧と、アドレス期間中に前記走査電極に印加される走査パルスの電圧との差分を、他のサブフィールドとは異ならせる走査パルス制御部と、を含むことを特徴とする。
【００４０】
前記走査パルス制御部は、フレームのサブフィールドのうち加重値が最低となるサブフィールドから所定数のサブフィールドまにおけるリセット期間中に走査電極に印加されるセットダウンパルスの最低電圧と、アドレス期間中に走査電極に印加される走査パルスの電圧との差分を、他のサブフィールドよりも大きくすることを特徴とする。
【００４１】
前記所定数のサブフィールドは、加重値の大小順に従い、加重値が最低となるサブフィールドから３番目のサブフィールドまにおけるものであることを特徴とする。
【００４２】
前記所定数のサブフィールドは、臨界数以下の維持パルスを用いるサブフィールドであることを特徴とする。
【００４３】
前記臨界数は、１フレームにおいて用いられる維持パルスの総数に対して５０％以下の数であることを特徴とする。
【００４４】
前記臨界数は、１フレームにおいて用いられる維持パルスの総数に対して３０％以下の数であることを特徴とする。
【００４５】
前記フレームのサブフィールドを２群に分けるが、走査パルス制御部は、２群のうちどちらか一方の群のサブフィールドにおけるリセット期間中に走査電極に印加されるセットダウンパルスの最低電圧と、アドレス期間中に走査電極に印加される走査パルスの電圧との差分を、他の群のサブフィールドよりも大きくすることを特徴とする。
【００４６】
前記２群のうちリセット期間中に走査電極に印加されるセットダウンパルスの最低電圧と、アドレス期間中に走査電極に印加される走査パルスの電圧との差分が大きい方の群においては、走査パルス制御部は、サブフィールドのリセット期間中に走査電極に印加されるセットダウンパルスの最低電圧と、アドレス期間中に走査電極に印加される走査パルスの電圧との差分を、各群別に同一にすることを特徴とする。
【００４７】
前記２群のうちリセット期間中に走査電極に印加されるセットダウンパルスの最低電圧と、アドレス期間中に走査電極に印加される走査パルスの電圧との差分が大きい方の群においては、走査パルス制御部は、１サブフィールドにおけるリセット期間中に走査電極に印加されるセットダウンパルスの最低電圧と、アドレス期間中に走査電極に印加される走査パルスの電圧との差分を、他のサブフィールドと互いに異ならせることを特徴とする。
【００４８】
前記２群のうちリセット期間中に走査電極に印加されるセットダウンパルスの最低電圧と、アドレス期間中に走査電極に印加される走査パルスの電圧との差分が大きい方の群においては、走査パルス制御部は、リセット期間中に走査電極に印加されるセットダウンパルスの最低電圧と、アドレス期間中に走査電極に印加される走査パルスの電圧との差分を、サブフィールド別にそれぞれ異ならせることを特徴とする。
【００４９】
前記リセット期間中に走査電極に印加されるセットダウンパルスの最低電圧と、アドレス期間中に走査電極に印加される走査パルスの電圧との差分が、サブフィールド別に相異なる群においては、走査パルス制御部は、加重値が低くなるほど、リセット期間中に走査電極に印加されるセットダウンパルスの最低電圧と、アドレス期間中に走査電極に印加される走査パルスの電圧との差分が、大きくなるようにすることを特徴とする。
【００５０】
前記２群のうちサブフィールドのリセット期間中に走査電極に印加されるセットダウンパルスの最低電圧と、アドレス期間中に走査電極に印加される走査パルスの電圧との差分を、他の群のサブフィールドよりも大きくする群は、臨界数以下の維持パルスを用いるサブフィールドよりなることを特徴とする。
【００５１】
前記フレームは、選択的な書き込みサブフィールドと選択的な消去サブフィールドを含むが、走査パルス制御部は、フレームのサブフィールドのうち選択的な消去サブフィールドのリセット期間中に走査電極に印加されるセットダウンパルスの最低電圧と、アドレス期間中に走査電極に印加される走査パルスの電圧との差分を、選択的な書き込みサブフィールドよりも大きくすることを特徴とする
【００５２】
前記フレームは複数の選択的な消去サブフィールドを含むが、走査パルス制御部は、複数の選択的な消去サブフィールドにおいては、リセット期間中に走査電極に印加されるセットダウンパルスの最低電圧と、アドレス期間中に走査電極に印加される走査パルスの電圧との差分を、互いに同一にすることを特徴とする。
【００５３】
前記フレームは複数の選択的な消去サブフィールドを含むが、走査パルス制御部は、複数の選択的な消去サブフィールドのうちいずれかのサブフィールドにおいては、リセット期間中に前記走査電極に印加されるセットダウンパルスの最低電圧と、前記アドレス期間中に前記走査電極に印加される走査パルスの電圧との差分を、他の選択的なサブフィールドとは異ならせることを特徴とする。
【００５４】
前記フレームは複数の選択的な消去サブフィールドを含むが、走査パルス制御部は、複数の選択的な消去サブフィールドにおいては、リセット期間中に走査電極に印加されるセットダウンパルスの最低電圧と、アドレス期間中に走査電極に印加される走査パルスの電圧との差分を、サブフィールド別にそれぞれ異ならせることを特徴とする。
【００５５】
前記走査パルス制御部は、複数の選択的な消去サブフィールドにおいて、加重値を基準に加重値が下がるに伴い、リセット期間中に走査電極に印加されるセットダウンパルスの最低電圧と、アドレス期間中に走査電極に印加される走査パルスの電圧との差分が、大きくなるようにすることを特徴とする。
【発明の効果】
【００５６】
本発明によれば、プラズマディスプレイ装置の駆動時にアドレス放電及び維持放電を安定化させることができる。
【発明を実施するための最良の形態】
【００５７】
以下、本発明の実施例を添付図を参照して詳しく説明する。
【００５８】
図６は、本発明のプラズマディスプレイ装置を示す図である。
【００５９】
図６に示すように、本発明のプラズマディスプレイ装置は、リセット期間、アドレス期間及び維持期間にアドレス電極Ｘ１〜Ｘｍ、走査電極Ｙ１〜Ｙｎ及び維持電極Ｚに駆動パルスが印加される少なくとも１以上のサブフィールドの組み合わせからなるフレームで構成される画像を表現するプラズマディスプレイパネル１００と、プラズマディスプレイパネル１００の背面パネル（図示せず）に形成されたアドレス電極Ｘ１〜Ｘｍにデータを供給するためのデータ駆動部１２２と、走査電極Ｙ１〜Ｙｎを駆動するための走査駆動部１２３と、共通電極である維持電極Ｚを駆動するための維持駆動部１２４と、プラズマディスプレイパネル１００の駆動時に走査駆動部１２３を制御するための走査パルス制御部１２１と、それぞれの駆動部１２２，１２３，１２４に必要な駆動電圧を供給するための駆動電圧発生部１２５と、を含む。
【００６０】
このような本発明のプラズマディスプレイ装置は、リセット期間、アドレス期間及び維持期間にアドレス電極、走査電極及び維持電極に駆動パルスが印加される少なくとも１以上のサブフィールドの組み合わせからなるフレームで構成される画像を表現し、このようなフレームの１サブフィールドにおけるリセット期間中に走査電極に印加されるセットダウンパルスの最低電圧と、アドレス期間中に走査電極に印加される走査パルスの電圧との差分を、他のサブフィールドとは異ならせる。
【００６１】
ここで、前記プラズマディスプレイパネル１００は、前面パネル（図示せず）と背面パネル（図示せず）が所定の間隔を開けて配置されており、前面パネルには多数の電極、例えば走査電極Ｙ１〜Ｙｎ及び維持電極Ｚが対をなして配設されており、背面パネルには走査電極Ｙ１〜Ｙｎ及び維持電極Ｚと交差するアドレス電極Ｘ１〜Ｘｍが配設されている。
【００６２】
データ駆動部１２２には、図示しない逆γ補正回路、誤差拡散回路などによって逆γ補正及び誤差拡散された後、サブフィールドマッピング回路により各サブフィールドにマッピングされたデータが供給される。このようなデータ駆動部１２２は、タイミング制御信号ＣＴＲＸに応答してデータをサンプリングしてラッチした後、そのデータをアドレス電極Ｘ１〜Ｘｍに供給する。
【００６３】
走査駆動部１２３は、走査パルス制御部１２１の制御下でリセット期間中に立上りランプ波形Ｒａｍｐ−ｕｐと立下りランプ波形Ｒａｍｐ−ｄｏｗｎを走査電極Ｙ１〜Ｙｎに供給する。また、走査駆動部１２３は、走査パルス制御部１２１の制御下でアドレス期間中に走査電圧−Ｖｙの走査パルスＳｐを走査電極Ｙ１〜Ｙｎに順次に供給し、維持期間中には輝度加重値の大小に応じ、すなわち階調値に応じて幅が調節された維持パルスｓｕｓを走査電極Ｙ１〜Ｙｎに供給する。好ましくは、加重値が相対的に低くて低階調を具現するサブフィールドにおいては、リセット期間中に走査電極に印加されるセットダウンパルスの最低電圧と、アドレス期間中に走査電極に印加される走査パルスＳｐの電圧との差分を、他のサブフィールドよりも大きくして走査電極Ｙ１〜Ｙｎに供給する。ここで、低階調とは、プラズマディスプレイパネル１００を多数のサブフィールドに分けて駆動するとき、各サブフィールドごとに輝度加重値を設定して階調を表現する場合に、相対的に低い輝度加重値を有するサブフィールドにおける階調値を意味する。
【００６４】
維持駆動部１２４は、立下りランプ波形Ｒａｍｐ−ｄｏｗｎが発生する期間とアドレス期間中に維持電圧Ｖｓのバイアス電圧を維持電極Ｚに供給し、維持期間中に走査駆動部１２３と交互に動作して維持パルスｓｕｓを維持電極Ｚに供給する。
【００６５】
走査パルス制御部１２１は、リセット期間、アドレス期間、維持期間で走査駆動部１２３の動作タイミングと同期化を制御するためのタイミング制御信号ＣＴＲＹを発生し、そのタイミング制御信号ＣＴＲＹを走査駆動部１２３に供給することにより走査駆動部１２３を制御する。特に、走査パルス制御部１２１は、多数のサブフィールドのうち相対的に加重値が低くて低階調を表示するサブフィールドにおけるリセット期間中に走査電極に印加されるセットダウンパルスの最低電圧と、アドレス期間中に走査電極に印加される走査パルスの電圧との差分を、他のサブフィールドとは異ならせる制御信号を走査駆動部１２３に供給する。すなわち、低階調を具現するサブフィールドのリセット期間中に走査電極に印加されるセットダウンパルスの最低電圧と、アドレス期間中に走査電極に印加される走査パルスの電圧との差分を、他のサブフィールドよりも大きくする制御信号を走査駆動部１２３に供給する。
【００６６】
一方、データ制御信号ＣＴＲＸには、データをサンプリングするためのサンプリングクロック、ラッチ制御信号、エネルギー回収回路と駆動スィッチ素子のＯＮ／ＯＦＦタイムを制御するためのスィッチ制御信号が含まれる。走査制御信号ＣＴＲＹには走査駆動部１２３内のエネルギー回収回路と駆動スィッチ素子のＯＮ／ＯＦＦタイムを制御するためのスィッチ制御信号が含まれ、維持制御信号ＣＴＲＺには維持駆動部１２４内のエネルギー回収回路と駆動スィッチ素子のＯＮ／ＯＦＦタイムを制御するためのスィッチ制御信号が含まれる。
【００６７】
駆動電圧発生部１２５は、セットアップ電圧Ｖｓｅｔｕｐ、走査共通電圧Ｖｓcａｎ−ｃｏｍ、走査電圧−Ｖｙ、維持電圧Ｖｓ、データ電圧Ｖｄなどを発生する。このような駆動電圧は放電ガスの組成や放電セル構造によって変わることができる。
【００６８】
このような本発明のプラズマディスプレイ装置によって行われる駆動方法の一実施例を説明すると、次の図７のようになる。
【００６９】
図７（ａ）及び図７（ｂ）は、本発明のプラズマディスプレイパネルの駆動方法の一実施例を説明するための図である。
【００７０】
同図に示すように、本発明に係るプラズマディスプレイパネルの駆動方法は、フレームを構成する複数のサブフィールドから選択されたいずれか１サブフィールドにおけるリセット期間中に走査電極に印加されるセットダウンパルスの最低電圧とアドレス期間中に走査電極に印加される走査パルスの電圧との差分を、残りのサブフィールドにおけるリセット期間中に走査電極に印加されるセットダウンパルスの最低電圧とアドレス期間中に走査電極に印加される走査パルスの電圧との差分と異ならせる。
【００７１】
選択されたサブフィールドにおけるセットダウンパルスの最低電圧と走査パルスの電圧との差分と、選択されないサブフィールドにおけるセットダウンパルスの最低電圧と走査パルスの電圧との差分とを異ならせる方法によれば、先ず、図７（ａ）に示すように、全サブフィールドのリセット期間中に走査電極に印加されるセットダウンパルスの最低電圧を一定にし、選択されたサブフィールドのアドレス期間中に走査電極に印加される走査パルスの電圧を異ならせる。或いは、図７（ｂ）に示すように、全サブフィールドのアドレス期間中に走査電極に印加される走査パルスの電圧を一定にし、選択されたサブフィールドのリセット期間中に走査電極に印加されるセットダウンパルスの最低電圧を異ならせる。
【００７２】
さらに、セットダウンパルスの最低電圧と走査パルスの電圧を同時に異ならせることにより、選択されたサブフィールドにおけるセットダウンパルスの最低電圧と走査パルスの電圧との差分と、選択されないサブフィールドにおけるセットダウンパルスの最低電圧と走査パルスの電圧との差分とを異ならせることができる。
【００７３】
図７（ａ）及び図７（ｂ）において、第１のサブフィールドにおけるセットダウンパルスの最低電圧と走査パルスの電圧との差分をΔＶ１とし、以降第２〜第ｎのサブフィールドまでにおけるセットダウンパルスの最低電圧と走査パルスの電圧との差分を、ΔＶ２とするとき、ΔＶ１とΔＶ２間にはΔＶ１＞ΔＶ２の関係を持たせる。
【００７４】
このように図７において、第１のサブフィールドにおけるセットダウンパルスの最低電圧と走査パルスの電圧との差分を他のサブフィールドよりも大きく設定した理由は、初期のサブフィールドではアドレス放電が不安定になる可能性が大であり、このため、アドレスジッタ(Jitter)が悪化して相対的に放電が不安定になるからである。言い換えれば、セットダウンパルスの最低電圧と走査パルスの電圧との差分を他のサブフィールドよりも大きくすることにより、第１のサブフィールドにおけるアドレス放電の安定化を図る。
【００７５】
さらに、第１のサブフィールドにおけるセットダウンパルスの最低電圧と走査パルスの電圧との差分を他のサブフィールドよりも大きく設定した理由は、第１のサブフィールドが相対的に低い加重値で低階調を具現するサブフィールドであって、その維持パルスの数が、高階調を具現する以降の他のサブフィールド、すなわち第２〜第ｎのサブフィールドに比べて少なく、このため、放電セル内に蓄積される壁電荷の量が少なくなり、維持放電が不安定になる可能性があるからである。 言い換えれば、第１のサブフィールドにおけるセットダウンパルスの最低電圧と走査パルスの電圧との差分を、他のサブフィールドよりも大きくすることにより、アドレス期間中に安定したアドレス放電を生じさせて、放電セル内における壁電荷の分布を維持放電に比べて有利にする。
【００７６】
図７ではセットダウンパルスの最低電圧と走査パルスの電圧との差分を他のサブフィールドよりも大きく設定するサブフィールドを第１のサブフィールドに限定しているが、第１のサブフィールドと第２のサブフィールド、または第２のサブフィールドと第３のサブフィールドにおけるセットダウンパルスの最低電圧と走査パルスの電圧との差分を、他のサブフィールドよりも大きく設定することもできる。
【００７７】
このようにセットダウンパルスの最低電圧と走査パルスの電圧との差分を他のサブフィールドよりも大きくするサブフィールドは、加重値の大小に応じて選択される。サブフィールドを選択する方法を説明すると、次の図８のようになる。
【００７８】
図８は、セットダウンパルスの最低電圧と走査パルスの電圧との差分を他のサブフィールドよりも大きくするサブフィールドを選択する方法の一例を説明するための図である。
【００７９】
図８に示すように、セットダウンパルスの最低電圧と走査パルスの電圧との差分を他のサブフィールドよりも大きくするサブフィールドを選択する方法の一例によれば、フレームに含まれたサブフィールドのうち最低の加重値を有するサブフィールドから加重値の大小順に所定数のサブフィールドを選択し、選択したサブフィールドにおけるリセット期間中に走査電極に印加されるセットダウンパルスの最低電圧とアドレス期間中に走査電極に印加される走査パルスの電圧との差分を、他のサブフィールドよりも大きくする。
【００８０】
ここで、前記所定数のサブフィールドを選択する場合、好ましくは、図８に示すように、加重値の大小順に従い、最低の加重値を有するサブフィールドから所定数のサブフィールド、例えば３番目のサブフィールドまでにする。ここで、セットダウンパルスの最低電圧と走査パルスの電圧との差分を、他のサブフィールドよりも大きくするサブフィールドを最低の加重値を有するサブフィールド、すなわち、第１のサブフィールドから、加重値の大小順に従い３番目のサブフィールドまでにする理由は、第１のサブフィールドから第３のサブフィールドまでは相対的に低階調を具現するために低い加重値を有するサブフィールドであるからである。図８において、加重値の大小順に従い、第１のサブフィールドから第３のサブフィールドまでを領域Ａに設定した。
【００８１】
また、このようにセットダウンパルスの最低電圧と走査パルスの電圧との差分を他のサブフィールドよりも大きくするサブフィールドは、サブフィールドの維持期間における維持パルスの数の観点から決定できる。言い換えれば、維持パルスの数が少ないサブフィールドは、加重値が低くて低階調を具現するサブフィールドであり、維持パルスの数が多いサブフィールドは、加重値が高くて高階調を具現するサブフィールドである。このようにサブフィールドの加重値は維持パルスの数によって決定されるので、この点より、セットダウンパルスの最低電圧と走査パルスの電圧との差分を他のサブフィールドよりも大きくするサブフィールドを選択する基準を、維持パルスの数に置く。設定した維持パルスの数よりも少ない維持パルスを有するサブフィールドにおけるセットダウンパルスの最低電圧と走査パルスの電圧との差分を、他のサブフィールドよりも大きくするのである。
【００８２】
好ましくは、セットダウンパルスの最低電圧と走査パルスの電圧との差分を他のサブフィールドよりも大きくするサブフィールドを選択する基準を、維持パルスの数が臨界数以下の場合、該当サブフィールドにおけるセットダウンパルスの最低電圧と走査パルスの電圧との差分を他のサブフィールドよりも大きくすることに置く。ここで、前記臨界数は、好ましくは、１フレームにおいて用いられる維持パルスの総数に対して５０％以下の数となる。さらに好ましくは、前記臨界数は、１フレームにおいて用いられる維持パルスの総数に対して３０％以下の数となる。
【００８３】
例えば、１フレームにおいて総１０００個の維持パルスを用いる場合、１フレームにおいて用いられる維持パルスの総数に対して３０％以下、すなわち３００個以下の維持パルスを用いるサブフィールドを選択し、選択したサブフィールドにおけるセットダウンパルスの最低電圧と走査パルスの電圧との差分を、他のサブフィールドよりも大きく設定する。
【００８４】
これとは異なり、１フレームのサブフィールドを２つのサブフィールド群に分け、分けたサブフィールド群のうちどちらか一方のサブフィールドにおけるセットダウンパルスの最低電圧と走査パルスの電圧との差分を、他の群よりも大きくすることもできる。この種の方法を説明すると、次の図９のようになる。
【００８５】
図９は、１フレームを２つのサブフィールド群に分けて駆動する方法を説明するための図である。
【００８６】
図９に示すように、１フレームのサブフィールドを２群に分け、分けた２群のうちどちらか一方の群のサブフィールドにおけるリセット期間中に走査電極に印加されるセットダウンパルスの最低電圧とアドレス期間中に走査電極に印加される走査パルスの電圧との差分を、他の群のサブフィールドよりも大きくする。例えば、図９に示すように、１フレームを第１のサブフィールド群と第２のサブフィールド群に分け、分けた第１のサブフィールド群のサブフィールドにおけるセットダウンパルスの最低電圧と走査パルスの電圧との差分を、他の第２のサブフィールド群のサブフィールドよりも大きくする。
【００８７】
分けた２群の各群内に含まれたサブフィールドにおいては、好ましくは、リセット期間中に走査電極に印加されるセットダウンパルスの最低電圧と、アドレス期間中に走査電極に印加される走査パルスの電圧との差分を、各群別に同一にする。言い換えれば、同一群に含まれるサブフィールドでは前記差分（リセット期間のセットダウンパルスの最低電圧とアドレス期間の走査パルスの電圧との差分）を同一にする。例えば、図９の如く、第１のサブフィールド群の各サブフィールドにおけるセットダウンパルスの最低電圧と走査パルスの電圧との差分はΔＶ１であり、他のサブフィールド群、すなわち第２のサブフィールド群の各サブフィールドにおけるセットダウンパルスの最低電圧と走査パルスの電圧との差分はΔＶ２である。ここで、ΔＶ１とΔＶ２はΔＶ１＞ΔＶ２の関係が成立する。
【００８８】
これとは異なり、前述の如き２群、すなわち第１サブフィールド群と第２のサブフィールド群のうち少なくともどちらか一方は、リセット期間中に走査電極に印加されるセットダウンパルスの最低電圧と、アドレス期間中に走査電極に印加される走査パルスの電圧との差分を、サブフィールド別に異ならせることも可能である。このような駆動波形を説明すると、次の図１０のようになる。
前記２つのサブフィールド群のそれぞれは、３つの低階調サブフィールドを備えることが可能である。例えば、第１のサブフィールド群において低階調サブフィールドとして第１〜第３サブフィールドを備え、第２のサブフィールド群において低階調サブフィールドとして第４〜第６サブフィールドを備えることが可能である。このとき、第２のサブフィールド群においては、第４〜第６サブフィールド（低階調サブフィールド）の前記差分をΔＶ２とし、それ以外の第７〜第８サブフィールドの前記差分をΔＶ３（＜ΔＶ２）とすることが可能である。
【００８９】
図１０は、１サブフィールド群内におけるセットダウンパルスの最低電圧と走査パルスの電圧との差分を説明するための図である。
【００９０】
図１０に示すように、１サブフィールド群内におけるセットダウンパルスの最低電圧と走査パルスの電圧との差分は、サブフィールド別にそれぞれ異なっている。例えば、図９の第１のサブフィールド群は、第１，２，３のサブフィールドを備えると仮定すれば、第１のサブフィールドにおけるセットダウンパルスの最低電圧と走査パルスの電圧との差分はΔＶ１となり、第２のサブフィールドにおけるセットダウンパルスの最低電圧と走査パルスの電圧との差分はΔＶ２となり、第３のサブフィールドにおけるセットダウンパルスの最低電圧と走査パルスの電圧との差分はΔＶ３となる。すなわち、第１，２，３のサブフィールドにおけるセットダウンパルスの最低電圧と走査パルスの電圧との差分は、それぞれ異なっている。
【００９１】
上記の如く、リセット期間中に走査電極に印加されるセットダウンパルスの最低電圧とアドレス期間中に走査電極に印加される走査パルスの電圧との差分が、サブフィールド別にそれぞれ異なる群、すなわち第１サブフィールド群内においては、加重値が下がるほど、リセット期間中に走査電極に印加されるセットダウンパルスの最低電圧とアドレス期間中に走査電極に印加される走査パルスの電圧との差分は、増加することが好ましい。すなわちΔＶ１＞ΔＶ２＞ΔＶ３の関係が成立することが好ましい。
【００９２】
このように、２群のうちサブフィールドのリセット期間中に走査電極に印加されるセットダウンパルスの最低電圧とアドレス期間中に走査電極に印加される走査パルスの電圧との差分を、他の群のサブフィールドよりも大きくする群、すなわち第１サブフィールド群は、臨界数以下の維持パルスを用いるサブフィールドよりなることが望ましい。すなわち、このようなサブフィールド群は相対的に加重値が低くて低階調を具現するサブフィールドよりなる。
【００９３】
ここで、前記臨界数は、好ましくは、１フレームにおいて用いられる維持パルスの総数に対して５０％以下の数となり、さらに好ましくは、１フレームにおいて用いられる維持パルスの総数に対して３０％以下の数となる。
【００９４】
図１０においては、第１のサブフィールド群に含まれたサブフィールド別にセットダウンパルスの最低電圧と走査パルスの電圧との差分がそれぞれ異なっている。これとは異なり、第１のサブフィールド群に含まれた少なくとも１つのサブフィールドにおけるセットダウンパルスの最低電圧と走査パルスの電圧との差分を、他のサブフィールドにおけるセットダウンパルスの最低電圧と走査パルスの電圧との差分とは異ならせ、第１のサブフィールド群の他のサブフィールドにおけるセットダウンパルスの最低電圧と走査パルスの電圧との差分を、同一にすることもできる。この場合を図１０の場合を例にとって説明すると、第１のサブフィールド群の第１のサブフィールドにおけるセットダウンパルスの最低電圧と走査パルスの電圧との差分はΔＶ１であり、残りのサブフィールド、すなわち第２のサブフィールドと第３のサブフィールドにおけるセットダウンパルスの最低電圧と走査パルスの電圧との差分はいずれもΔＶ２で同一とすることも可能である。
【００９５】
要するに、１フレームを２つのサブフィールド群に分け、分けられた２つのサブフィールド群のうちどちらか一方の群におけるセットダウンパルスの最低電圧と走査パルスの電圧との差分を、他の群よりも大きく設定する場合、セットダウンパルスの最低電圧と走査パルスの電圧との差分を他の群よりも大きくしたサブフィールド群内におけるセットダウンパルスの最低電圧と走査パルスの電圧との差分を、サブフィールド別にそれぞれ異ならせることができ、同一群内の少なくとも１つのサブフィールドにおけるセットダウンパルスの最低電圧と走査パルスの電圧との差分を、他のサブフィールドとは異ならせることができ、また、全サブフィールドにおけるセットダウンパルスの最低電圧と走査パルスの電圧との差分を、いずれも同一にすることもできる。
なお、ここでは、１フレームのサブフィールドを２群に分ける場合を説明したが、１フレームのサブフィールドを３つ以上の群に分けても良い。
【００９６】
以上、１フレームの全サブフィールドが選択的な書き込み方式のサブフィールドの場合について説明した。しかし、１フレームに選択的な書き込み方式のサブフィールドと選択的な消去方式のサブフィールドがどちらも含まれている場合には、サブフィールドの加重値とサブフィールド方式の差をどちらも考慮に入れてセットダウンパルスの最低電圧と走査パルスの電圧との差分を調節する。このように、１フレームに選択的な書き込み方式のサブフィールドと選択的な消去サブフィールドがどちらも含まれている場合の駆動方法を説明すると、次の図１１のようになる。
【００９７】
図１１は、１フレームに選択的な書き込み方式のサブフィールドと選択的な消去方式のサブフィールドがどちらも含まれた場合の駆動方法を説明するための図である。
【００９８】
図１１に示すように、１フレームに選択的な書き込み方式のサブフィールドと選択的な消去方式のサブフィールドがどちらも含まれており、このようなフレームのサブフィールドのうち選択的な消去サブフィールドのリセット期間中に走査電極に印加されるセットダウンパルスの最低電圧と、アドレス期間中に走査電極に印加される走査パルスの電圧との差分が、選択的な書き込みサブフィールドよりも大きい。例えば、図１１に示しように、第１のサブフィールドが選択的な書き込みサブフィールドで、残りのサブフィールド、すなわち第２のサブフィールド〜第８のサブフィールド（ここでは１フレームが８個のサブフィールドよりなる場合を例にした。）が選択的な消去サブフィールドの場合、前記選択的な消去サブフィールドにおけるセットダウンパルスの最低電圧と走査パルスの電圧との差分をΔＶ２に仮定すれば、選択的な書き込みサブフィールドにおけるセットダウンパルスの最低電圧と走査パルスの電圧との差分はΔＶ１となり、ΔＶ２＞ΔＶ１の関係が成立する。
【００９９】
ここで、前記選択的な消去方式は、リセット期間に全画面を書き込み放電させて全画面をＯＮにした後、アドレス期間に選択された放電セルをＯＦＦにし、次いで、維持期間にはアドレス放電によって選択されない放電セルのみを維持放電させることで画像を表示する方法であって、リセットパルス長が選択的な書き込み方式に比べて相対的に短いため、リセット期間で相対的に少量の壁電荷が生成される。これにより、前述のごとく、リセットパルス長が短くてリセット期間で相対的に少量の壁電荷が生成される選択的な消去サブフィールドにおいては、選択的な書き込みサブフィールドに比べてアドレス放電が不安定になる可能性が大であるので、アドレス期間で壁電荷を放電セル内に十分に蓄積するために、選択的な消去方式のサブフィールドにおけるセットダウンパルスの最低電圧と、アドレス期間中に走査電極に印加される走査パルスの電圧との差分を、選択的な書き込み方式のサブフィールドよりも大きくするのである。
【０１００】
図１１においては、選択的な書き込みサブフィールドを第１のサブフィールドに設定し、以降の残りのサブフィールド、すなわち第２のサブフィールドから第８サブフィールドまでを選択的な消去サブフィールドと設定した。しかしながら、前記選択的な書き込みサブフィールドは第１のサブフィールドに限定されるのではなく、第１，２のサブフィールドを選択的な書き込みサブフィールドに設定できるなど様々な変形が可能である。
【０１０１】
このように１フレームが複数の選択的な消去サブフィールドを含む場合、複数の選択的な消去サブフィールドにおいて、リセット期間中に走査電極に印加されるセットダウンパルスの最低電圧と、アドレス期間中に走査電極に印加される走査パルスの電圧との差分を、いずれも同一にすることが好ましい。すなわち、図１１の場合を例にとって説明すると、選択的な消去サブフィールドである第２のサブフィールドから第８サブフィールドまでにおけるセットダウンパルスの最低電圧とアドレス期間中に走査電極に印加される走査パルスの電圧との差分は、いずれも同一である。
【０１０２】
しかし、これとは異なり、１フレームが複数の選択的な消去サブフィールドを含む場合、複数の選択的な消去サブフィールドにおいて、リセット期間中に走査電極に印加されるセットダウンパルスの最低電圧と、アドレス期間中に走査電極に印加される走査パルスの電圧との差分を、サブフィールド別にそれぞれ異ならせることもできる。このような駆動方法を説明すると、次の図１２のようになる。
【０１０３】
図１２は選択的な消去サブフィールド内におけるセットダウンパルスの最低電圧と走査パルスの電圧との差分を説明するための図である。
【０１０４】
図１２に示すように、選択的な消去サブフィールドである第２のサブフィールドから第８サブフィールドまでにおいて、セットダウンパルスの最低電圧と、アドレス期間中に走査電極に印加される走査パルスの電圧との差分は、それぞれのサブフィールド別に異なっている。すなわち、第２のサブフィールドにおけるセットダウンパルスの最低電圧と走査パルスの電圧との差分はΔＶ２であり、第３のサブフィールドにおけるセットダウンパルスの最低電圧と走査パルスの電圧との差分はΔＶ３であり、第４サブフィールドにおけるセットダウンパルスの最低電圧と走査パルスの電圧との差分はΔＶ４であり、第５サブフィールドにおけるセットダウンパルスの最低電圧と走査パルスの電圧との差分はΔＶ５であり、第６サブフィールドにおけるセットダウンパルスの最低電圧と走査パルスの電圧との差分はΔＶ６である。ここで、ΔＶ２＞ΔＶ３＞ΔＶ４＞ΔＶ５＞ΔＶ６の関係が成立する。
【０１０５】
この場合、複数の選択的な消去サブフィールド間では、加重値を基準に加重値が下がるに伴い、リセット期間中に走査電極に印加されるセットダウンパルスの最低電圧とアドレス期間中に走査電極に印加される走査パルスの電圧との差分が、増加することが望ましい。
【０１０６】
図１２においては、選択的な消去サブフィールド別にセットダウンパルスの最低電圧と走査パルスの電圧との差分がそれぞれ異なっている。これとは異なり、選択的な消去サブフィールドのうち少なくとも１つのサブフィールドにおけるセットダウンパルスの最低電圧と走査パルスの電圧との差分を、他のサブフィールドにおけるセットダウンパルスの最低電圧と走査パルスの電圧との差分とは異ならせ、選択的な消去ソブピルドルのうち他のサブフィールドにおけるセットダウンパルスの最低電圧と走査パルスの電圧との差分を、同一にすることもできる。この場合を図１２の場合を例にとって説明すると、選択的な消去サブフィールドのうち第２のサブフィールドにおけるセットダウンパルスの最低電圧と走査パルスの電圧との差分がΔＶ２であれば、残りのサブフィールド、すなわち第３サブフィールドから第８サブフィールドまでにおけるセットダウンパルスの最低電圧と走査パルスの電圧との差分はいずれもΔＶ３で同一である。
【０１０７】
要するに、１フレームに含まれた選択的な消去サブフィールドにおけるセットダウンパルスの最低電圧と走査パルスの電圧との差分を、選択的な書き込みサブフィールドよりも大きく設定する場合、このような選択的な消去サブフィールドにおけるセットダウンパルスの最低電圧と走査パルスの電圧との差分を、それぞれの選択的な消去サブフィールド別に異なせることができ、少なくとも１つの選択的な消去サブフィールドにおけるセットダウンパルスの最低電圧と走査パルスの電圧との差分と、他の選択的な消去サブフィールドとは異なせることができ、また、全選択的な消去サブフィールドにおけるセットダウンパルスの最低電圧と走査パルスの電圧との差分を、いずれも同一にすることもできる。
【０１０８】
このように、加重値が相対的に低くて低階調を具現するサブフィールド、またはリセットパルスの電圧が相対的に低い選択的な消去サブフィールドにおけるセットダウンパルスの最低電圧と走査パルスの電圧との差分を、他のサブフィールドよりも大きく設定することにより、放電セル内に蓄積される壁電荷の量が相対的に少なくなり、その結果、アドレス放電が不安定になることを抑えてアドレスジッタの悪化を防止し、安定した維持放電を実現する。
【図面の簡単な説明】
【０１０９】
【図１】一般的なプラズマディスプレイパネルの構造を示す図である。
【図２】従来のプラズマディスプレイパネルの画像階調を具現する方法を示す図である。
【図３】１フレームに選択的な書き込み及び選択的な消去方式のサブフィールドが含まれている従来の他の実施例に係るプラズマディスプレイパネルの１フレームを示す図である。
【図４】従来のプラズマディスプレイパネルの駆動方法による駆動波形の一例を示す図である。
【図５】従来のプラズマディスプレイパネルの駆動方法において、リセット期間中に印加されるセットダウンパルスの最低電圧とアドレス期間中に印加される走査パルスの電圧との差分を説明するための図である。
【図６】本発明のプラズマディスプレイ装置を説明するための図である。
【図７】本発明のプラズマディスプレイパネルの駆動方法の一実施例を説明するための図である。
【図８】セットダウンパルスの最低電圧と走査パルスの電圧との差分を他のサブフィールドよりも大きくするサブフィールドを選択する方法の一例を説明するための図である。
【図９】１フレームを２つのサブフィールド群に分けて駆動する方法を説明するための図である。
【図１０】１サブフィールド群内におけるセットダウンパルスの最低電圧と走査パルスの電圧との差分を説明するための図である。
【図１１】１フレームに選択的な書き込み方式のサブフィールドと選択的な消去方式のサブフィールドがどちらも含まれている場合の駆動方法を説明するための図である。
【図１２】選択的な消去サブフィールド間におけるセットダウンパルスの最低電圧と走査パルスの電圧との差分を説明するための図である。
【図１】
2006235598.tif 000003
【図２】
2006235598.tif 000004
【図３】
2006235598.tif 000005
【図４】
2006235598.tif 000006
【図５】
2006235598.tif 000007
【図６】
2006235598.tif 000008
【図７】
2006235598.tif 000009
【図８】
2006235598.tif 000010
【図９】
2006235598.tif 000011
【図１０】
2006235598.tif 000012
【図１１】
2006235598.tif 000013
【図１２】
2006235598.tif 000014